(57)【要約】      （修正有）【課題】ドリップバッグをカップに安定して掛止させるにあたり、掛止片の上部の折れ線を手で折り曲げることを不要とする。【解決手段】ドリップバッグが、通水性濾過性シートから形成された袋本体２と、袋本体２の対向する２面の外表面に設けられた掛止部材１０とを有し、掛止部材１０は、袋本体２の中央貼着部１１、袋本体２の開口部３の帯状貼着部１２、袋本体２から引き起こし可能に形成されたアーム部１３、及び袋本体２に貼着されていない掛止片１４を有し、アーム部１３の下端が中央貼着部１１と連続し、アーム部１３の上端部が掛止片１４と連続している。掛止片１４は、アーム部１３から袋本体側辺側に延びた左右一対の引っ掛け部１５を有し、引っ掛け部１５の一方から他方に至る領域に下端部から上方に延びた４本の折れ線Ｌ１を有する。【選択図】図１
2012125406.tif 000002
【特許請求の範囲】
【請求項１】
通水性濾過性シートから形成され、上端部に開口部を有する袋本体と、
袋本体の対向する２面の外表面に設けられた掛止部材とを有するドリップバッグであって、
掛止部材が、袋本体の中央部に貼着されている中央貼着部、袋本体の開口部に沿って帯状に袋本体に貼着されている帯状貼着部、袋本体から引き起こし可能に形成されたアーム部、及び袋本体に貼着されていない掛止片を有し、
アーム部の下端が中央貼着部と連続し、アーム部の上端部が掛止片と連続し、
掛止片は、アーム部との連続部分から袋本体側辺側に延びた左右一対の引っ掛け部を有し、
左右一対の引っ掛け部の一方から他方に至る領域に、引っ掛け部の下端部から上方に延びた４本以上の折れ線を有するドリップバッグ。
【請求項２】
４本の折れ線が、掛止片とアーム部との連続部分近傍に形成されている請求項１記載のドリップバッグ。
【請求項３】
４本の折れ線の左右片側２本ずつが、下端部に対して上端部が開いた逆ハ字形に形成されている請求項１又は２記載のドリップバッグ。
【請求項４】
請求項１〜３のいずれかに記載のドリップバッグにコーヒー粉又は茶類が充填され、開口部が閉じられているコーヒードリップバッグ。
【発明の詳細な説明】
【技術分野】
【０００１】
本発明は、カップ等の容器の上部に掛止することにより、容易にドリップ式でコーヒーや、紅茶、緑茶、ハーブティー等の茶類などの抽出液を得られるようにするドリップバッグに関する。
【背景技術】
【０００２】
手軽に本格的なコーヒーを楽しむことを可能とするコーヒーの入れ方として、ペーパードリップ方式が広く普及している。このペーパードリップ方式では、通常、数人分（数杯分）のコーヒーが一度に抽出される。
【０００３】
一方、近年、一人暮らしをする者が多くなり、また、核家族化や出生率の低下等により一家族の構成人数も少なくなっている。そのため、従来の数杯分のコーヒーを抽出することが基本とされているペーパードリップ方式に代えて、一杯分のコーヒーの抽出を手軽に行えるようにすることを目的とした、使い捨てのワンドリップコーヒーが種々の製品形態で市場に出回っている。
【０００４】
中でも、簡略な構成を有するものとしては、コーヒー粉を入れた通水性濾過性シートからなる袋本体と、その袋本体をカップに掛止させるために、袋本体の側面に貼着された紙製等の掛止部材とからなるコーヒードリップバッグであって、掛止部材を特定形状にしたものが提案されている（特許文献１参照）。
【０００５】
図７（ａ）に示すように、特許文献１に記載のコーヒードリップバッグ１００Ｘは、通水性濾過性シートから形成された袋本体２と、袋本体２の対向する２面の外表面に設けられた薄板状材料からなる一対の掛止部材１０を有しており、袋本体２にコーヒー粉等の抽出材料が充填されている。掛止部材１０は、袋本体２に貼着された中央貼着部１１と袋本体２から引き起こし可能に形成されたアーム部１３と掛止片１４を有し、掛止片１４の上部両側には略水平に伸びた一対の引っ掛け部１５が形成され、一対の引っ掛け部１５の掛止部材中央部側端部には袋本体２の上下方向に伸びた一対の折れ線Ｌ１が合計２本形成されている。
【０００６】
そこで、このコーヒードリップバッグ１００Ｘの使用方法としては、(i)図７（ｂ）に示すように袋本体上端部のミシン目４を切って開口部３を開き、袋本体２の外表面で対向する一対の掛止片１４の下部をつまんで掛止片１４を袋本体２から引き起こし、掛止片１４の上部の折れ線Ｌ1を手で折り曲げ、掛止片１４を反対方向に引っ張り、図７（ｄ）に示すように、掛止片１４をカップ２００に掛止し、大きく開いた開口部３へ注湯する。あるいは(ii)掛止片１４を袋本体２から引き起こした後、そのまま一対の掛止片１４を反対方向に引っ張り、図７（ｃ）に示すようにカップ２００に掛止し、図７（ｄ）に示すように、掛止片１４の上部の折れ線Ｌ1を手で折り曲げ、開口部３へ注湯する。
【０００７】
ここで、折れ線Ｌ1の折り曲げは、掛止片１４をカップ２００に掛止させたときに、引っ掛け部１５がカップ２００の開口部壁を横切って載るようにするために行われ、これにより、カップ２００の開口部壁が厚い場合でも、コーヒードリップバッグ１００Ｘをカップ２００に安定してセットすることができる。
【先行技術文献】
【特許文献】
【０００８】
【特許文献１】特許４０７９０４１号公報
【発明の概要】
【発明が解決しようとする課題】
【０００９】
しかしながら、上述のコーヒードリップバッグ１００Ｘの使用方法のうち(ii)の方法で、コーヒードリップバッグ１００Ｘをカップ２００にセットすると、カップ２００の開口部壁が厚い場合に、図７（ｃ）のようにコーヒードリップバッグ１００Ｘをカップ２００に掛止させた後、図７（ｄ）のように折れ線Ｌ１を手で折り曲げて引っ掛け部１５をカップ２００の開口部壁に載せるまでの間に、図８に矢印で示すように、掛止片１４が開口部壁からずり上がってカップ２００から外れることがあった。
【００１０】
これに対し、本発明は、掛止片１４の上部の一対の折れ線Ｌ1を手で折り曲げなくても、コーヒードリップバッグをカップ２００に掛止するだけで、開口部壁の厚いカップに対してもコーヒードリップバッグを安定して掛止できるようにすることを目的とする。
【課題を解決するための手段】
【００１１】
本発明は、掛止片１４の上部の、左右一対の引っ掛け部１５の一方から他方に至る領域に、引っ掛け部の下端部から上方に伸びる折れ線を４本形成すると、引っ掛け部１５の掛止部材中央部側端部の折れ線Ｌ1を手で折り曲げなくても、一対の掛止片１４の下部をつまんでそれらを反対方向に引っ張り、掛止部材１０をカップに掛止させるだけで、その掛止状態が安定することを見出した。
【００１２】
即ち、本発明は、通水性濾過性シートから形成され、上端部に開口部を有する袋本体と、
袋本体の対向する２面の外表面に設けられた掛止部材とを有するドリップバッグであって、
掛止部材が、袋本体の中央部に貼着されている中央貼着部、袋本体の開口部に沿って帯状に袋本体に貼着されている帯状貼着部、袋本体から引き起こし可能に形成されたアーム部、及び袋本体に貼着されていない掛止片を有し、
アーム部の下端が中央貼着部と連続し、アーム部の上端部が掛止片と連続し、
掛止片は、アーム部との連続部分から袋本体側辺側に延びた左右一対の引っ掛け部を有し、
左右一対の引っ掛け部の一方から他方に至る領域に、引っ掛け部の下端部からに上方に延びた４本以上の折れ線を有するドリップバッグを提供し、また、かかるドリップバッグにコーヒー粉が充填され、開口部が閉じられているコーヒードリップバッグを提供する。
【発明の効果】
【００１３】
本発明のドリップバッグやコーヒードリップバッグによれば、袋本体の外表面で対向する一対の掛止片の下部をつまんでそれらを反対方向に引っ張り、カップに掛止させるだけで、各掛止片の上部の左右一対の引っ掛け部の一方から他方に至る領域に、４本以上の折れ線により山折りと谷折りが形成され、その領域がカップの開口部壁に適合した形状に湾曲する。したがって、掛止片をカップに安定に掛止させるために、掛止片の上部の折れ線を手で折り曲げることが不要となり、掛止片をカップに掛止させた後、掛止片がカップの開口部壁からずり上がって外れることをなくすことができる。
【図面の簡単な説明】
【００１４】
【図１】図１は、本発明の実施例のコーヒードリップバッグ１００の使用方法の説明である。
【図２】図２は、本発明の実施例のコーヒードリップバッグ１００Ｂの使用方法の説明図である。
【図３】図３は、本発明の実施例のコーヒードリップバッグ１００Ｃの平面図である。
【図４】図４は、本発明の実施例のコーヒードリップバッグ１００Ｄの平面図である。
【図５】図５は、本発明の実施例のコーヒードリップバッグ１００Ｅの平面図である。
【図６】図６は、本発明の実施例のコーヒードリップバッグ１００Ｆの平面図である。
【図７】図７は、従来のコーヒードリップバッグ１００Ｘの使用方法の説明図である。
【図８】図８は、従来のコーヒードリップバッグにおける問題点の説明図である。
【発明を実施するための形態】
【００１５】
以下、図面を参照しつつ本発明を詳細に説明する。なお、各図中、同一符号は同一又は同等の構成要素を表している。
図１は、本発明の一実施例のドリップバッグ１にコーヒー粉３０が充填され（図中、粗いドットで塗りつぶした部分）、開口部３が閉じられた状態のコーヒードリップバッグ１００の使用方法の説明図であって、同図（ａ）は、未開封状態のコーヒードリップバッグ１００の平面図であり、同図（ｂ）は、袋本体２の開口部３を開き、掛止片１４を引き起こしかけた状態の斜視図であり、同図（ｃ）は、開口部３を開いたコーヒードリップバッグ１００をカップ２００に掛けた状態の斜視図である。なお、ドリップバッグ１には、コーヒー粉３０に代えて緑茶、紅茶、ウーロン茶、ハーブティー等の茶類など、種々の抽出材料を充填することができる。
【００１６】
ドリップバッグ１は、通水性濾過性シートから形成され、上端部に開口部３を有する矩形の袋本体２と、袋本体２の対向する２面の外表面にそれぞれ設けられた掛止部材１０を有する。
【００１７】
袋本体２を形成する通水性濾過性シートとしては、所定量の抽出材料を充填し、注湯した場合に抽出液を浸出させることができるものを、抽出材料に応じて適宜選択して使用することができる。一般に、浸出用シートとしては、例えば、ポリエステル、ナイロン、ポリエチレン、ポリプロピレン、ビニロン等の合成繊維、レーヨン等の半合成繊維、コウゾ、ミツマタ等の天然繊維の単独又は複合繊維からなる織布あるいは不織布、マニラ麻、木材パルプ、ポリプロピレン繊維等からなる混抄紙、ティーバッグ原紙等の紙類が知られており、本発明においてもこれらを使用することができる。また、ドリップバッグをコーヒードリップに使用する場合に、コーヒー粉に適度な蒸らし効果を付与できるようにするため、繊維材料から通水性濾過性シートを製造するに際しては、繊維層の空隙率を調整することによりコーヒー粉に直接接することとなる層を「疎」とし、直接には接しない層を「密」とする疎密の複層構造とし、かつコーヒー粉に直接接することとなる層では疎水性繊維の含有率を高め、コーヒー粉に直接接しない層では疎水性繊維の含有率を下げることが好ましい（特許第３６７４４８６号）。
【００１８】
袋本体２は三方のシール部２ａにより袋体に形成されており、その上端部には、開口部３を形成するための易開封線としてミシン目４が設けられている。
【００１９】
一方、袋本体２の表裏の矩形面の外表面にそれぞれ設けられている掛止部材１０は、板紙、プラスチックシート等を積層した薄板状材料の打ち抜きにより形成されている。
【００２０】
掛止部材１０は、袋本体２の中央部に貼着されている中央貼着部１１、袋本体２の開口部３に沿って帯状に袋本体２に貼着され、袋本体２の側辺に沿ってその帯状部分が延びている帯状貼着部１２、袋本体２から引き起こし可能に形成されたアーム部１３、及び袋本体２に貼着されていない掛止片１４を有している。図１（ａ）において、細かいドットで塗りつぶした部分が、掛止部材１０において、袋本体２の外表面に熱融着又は接着により貼着されている部分である。
【００２１】
ここで、中央貼着部１１は、必ずしもその全面が袋本体２に貼着している必要はなく、本実施例においては、アーム部１３の周囲の領域が貼着されている。
【００２２】
帯状貼着部１２は、開口部３に沿った帯状部分の全面が袋本体２に貼着されており、袋本体２の側辺に沿った部分もその全面が袋本体２に貼着されている。また、帯状貼着部１２の開口部３に沿った帯状部分には、開口部３に大きな開口状態が形成されるように、折れ線Ｌ2が設けられている。
【００２３】
アーム部１３は、その下端が中央貼着部１１と連続し、袋本体２に貼着されている。また、アーム部１３は下端よりも上方では袋本体２と貼着しておらず、アーム部１３の上端部は掛止片１４と連続している。
【００２４】
掛止片１４は、アーム部１３と中央貼着部１１を囲むように形成されており、袋本体２には貼着されていない。掛止片１４には、アーム部１３との連続部分から袋本体側辺側に略水平に延びた左右一対の引っ掛け部１５が形成されており、この引っ掛け部１５により、掛止片１４をカップ２００の開口部壁に掛止させた状態の安定性を向上させている。
【００２５】
左右一対の引っ掛け部１５の一方から他方に至る領域、より具体的には掛止片１４とアーム部１３との連続部分近傍領域１６に、引っ掛け部１５の下端部から上方に延びた４本の折れ線Ｌ1が左右対称に形成されている。ここで、折れ線Ｌ1が引っ掛け部１５の下端部から上方に延びるとは、厳密に袋本体２の上下方向に延びることに限られず、開口部３の方向に斜めに延びることを含む。そこで、本実施例においては、４本の折れ線Ｌ1のうち、外側２本の折れ線Ｌ1aは袋本体２の上下方向に平行に形成されており、内側２本の折れ線Ｌ1bは、それらの下端部に対して上端部が、袋本体の左右の中心側に寄っている。また、４本の折れ線Ｌ1を左右片側の２本ずつについてみると、外側の折れ線Ｌ1aと内側の折れ線Ｌ1bは、その下端がほぼ重なった位置となり、下端部に対して上端部が開いた逆ハ字形に形成されている。このように、左右片側２本ずつの折れ線Ｌ1を平行に形成せず、それらが挟む角θを１８０°未満とすることが、一対の掛止片１４を引き起こして反対方向に引っ張っただけで、４本の折れ線Ｌ1に山折りと谷折りが形成されるようにする点で好ましい。また、折れ線Ｌ1の下端部は、引っ掛け部１５の下縁とアーム部１３の側辺が交わる部分に丸みが付けられている場合、それらの延長線の交点ｐよりも左右方向で外側とすることが好ましく、丸み付け部分よりも左右方向で外側とすることがより好ましい。
【００２６】
なお、本発明において、左右一対の引っ掛け部１５の一方から他方に至る領域におけるの折れ線Ｌ1の数としては、上述の４本にさらに追加してもよいが、折れ線を追加することによる格別の効果はないため、４本とすることが好ましい。
【００２７】
コーヒードリップバッグ１００の使用方法としては、まず、図１（ｂ）に示すようにミシン目４に沿って袋本体２の上端部を切除することにより袋本体２を開口し、一対の掛止部材１０の掛止片１４の下端部を反対方向に引っ張ってアーム部１３と掛止片１４を引き起こす。これらをさらに大きく引き起こし、図１（ｃ）に示したように、掛止片１４をカップ２００の側壁にかける。このとき、掛止片１４の上部であって、アーム部１３との連続部分近傍領域１６には、４本の折れ線Ｌ1により同図に示したように山折りと谷折りが自然に形成され、カップ２００の開口部壁に適合した形状に湾曲し、カップ２００の開口部壁の壁厚が厚くても掛止片１４が上方にずり上がることはない。したがって、従前のように、掛止片１４の上部の折れ線を手で折り曲げて掛止片１４の掛止状態を安定化させることが不要となる。
【００２８】
図１（ｃ）のコーヒードリップバッグ１００の掛止状態において、袋本体２の外表面で対向する中央貼着部１１は、アーム部１３によって外側に引っ張られて袋本体２を大きく開口させ、また、帯状貼着部１２は袋本体２の開口部３の大きな開口形状を維持させる。したがって、コーヒードリップバッグ１００をカップ２００に掛止した後は、袋本体２の開口部３から容易に注湯することができ、カップ２００内にコーヒー抽出液を得ることができる。
【００２９】
なお、以上の説明では、コーヒードリップバッグ１００をミシン目４で開口した後、カップ２００に掛止する例を示したが、本発明のドリップバッグ１の使用方法はこれに限られず、ドリップバッグ１をカップ２００にセットした後、ドリップバッグ１内にコーヒー粉を入れて注湯しても良い。
【００３０】
本発明は、種々の態様をとることができる。
例えば、図２のコーヒードリップバッグ１００Ｂ（ドリップバッグ１Ｂ）は、図１のコーヒードリップバッグ１００（ドリップバッグ１）に対し、掛止部材１０の中央貼着部１１を、アーム部１３を囲むＵ字形とし、その全面を袋本体２に貼着し、掛止部材１０の袋本体２に対する接着強度を向上させたものである。
【００３１】
図３のコーヒードリップバッグ１００Ｃは、図２のコーヒードリップバッグ１００Ｂにおいて、４本の折れ線Ｌ1のうち内側２本の折れ線L1bを袋本体２の上下方向と平行にし、左右片側２本ずつの折れ線L1a、L1bで逆ハ字形が形成されるようにしたものである。このように折れ線Ｌ1を形成しても、コーヒードリップバッグ１００Ｃの掛止片１４をカップに掛止させると、折れ線Ｌ1により山折りと谷折りが形成され、掛止片１４のカップへの掛止状態を安定化させることができる。
【００３２】
図４のコーヒードリップバッグ１００Ｄは、図２のコーヒードリップバッグ１００Ｂにおいて、４本の折れ線Ｌ1のいずれも袋本体２の上下方向に対して平行には形成せず、左右片側２本ずつの折れ線L1a、L1bで逆ハ字形が形成されるようにしたものである。
【００３３】
図５のコーヒードリップバッグ１００Ｅは、図２のコーヒードリップバッグ１００Ｂにおいて、４本の折れ線Ｌ1のうち、外側の折れ線L1aを、引っ掛け部１５の中央部側にずらし、左右片側２本ずつの折れ線L1a、L1bの下端部を離したものである。
【００３４】
図６のコーヒードリップバッグ１００Ｆは、図４のコーヒードリップバッグ１００Ｄにおいて、４本の折れ線Ｌ1のうち、外側の折れ線L1aを、引っ掛け部１５の中央部側にずらし、左右片側２本ずつの折れ線L1a、L1bの下端部を離したものである。
【００３５】
なお、本発明において、上述した種々の態様は、適宜組み合わせることができ、いずれの態様においても、一対の掛止片１４を反対方向に引っ張ってカップ２００に掛止させるだけで、４本の折れ線Ｌ1により自ずと掛止片１４の上部に山折りと谷折りが形成され、ドリップバッグあるいはコーヒードリップバッグのカップ２００への掛止状態を安定化させることができる。
【符号の説明】
【００３６】
１    ドリップバッグ
２    袋本体
３    開口部
４    易開封線（ミシン目）
１０    掛止部材
１１    中央貼着部
１２    帯状貼着部
１３    アーム部
１４    掛止片
１５    引っ掛け部
１６    掛止片とアーム部との連続部分近傍領域
３０    コーヒー粉
１００、１００Ｂ、１００Ｃ、１００Ｄ、１００Ｅ、１００Ｆ  実施例のコーヒードリップバッグ
１００Ｘ  従来のコーヒードリップバッグ
２００  カップ
Ｌ1、Ｌ2  折れ線
【図１】
2012125406.tif 000003
【図２】
2012125406.tif 000004
【図３】
2012125406.tif 000005
【図４】
2012125406.tif 000006
【図５】
2012125406.tif 000007
【図６】
2012125406.tif 000008
【図７】
2012125406.tif 000009
【図８】
2012125406.tif 000010